(57)【要約】【課題】天井面を間接照明するために要するコストおよび器具効率の低下を抑制可能な照明器具を提供する。【解決手段】照明器具１は、器具本体２と、平板部５ｂ、この平板部５ｂの周縁５ｄから外方に拡開するように配設された複数の側板部５ａおよび隣り合う側板部５ａ，５ａの側端５ａａ，５ａｂ間に配設されて各側板部５ａ間を連結する透光性部材６を有し、器具本体２に配設された底面視多角形状の金属製の包囲体５と、包囲体５内に配設された蛍光ランプ３，４とを具備している。【選択図】図１
2007128672.tif 000002
【特許請求の範囲】
【請求項１】
器具本体と；
平板部、この平板部の周縁から外方に拡開するように配設された複数の側板部および隣り合う側板部の側端間に配設されて各側板部間を連結する透光性部材を有し、器具本体に配設された底面視多角形状の金属製の包囲体と；
包囲体内に配設された蛍光ランプと；
を具備していることを特徴とする照明器具。
【請求項２】
蛍光ランプは、前記側板部の高さ方向中間の位置から平板部側に配設されていることを特徴とする請求項１記載の照明器具。
【発明の詳細な説明】
【技術分野】
【０００１】
本発明は、天井に直付けまたは吊り下げられる照明器具に関する。
【背景技術】
【０００２】
工場などの高天井施設では、照明器具は、天井から吊下げられたり、天井側に配設された配線ダクトであるレースウェイ等に取り付けられたりしている。この照明器具は、放電ランプを備えた器具本体に放電ランプを囲むカバーが配設され、カバーにより放電ランプの放射光を下方側に反射させるようにしている。
【０００３】
そして、天井面が暗くならないように、器具本体から放電ランプの一部光を天井面に照射する照明器具が提案されている。例えば、器具本体の放電ランプの上方位置に採光用開口部を設け、器具本体上に採光用開口部を覆う透光性上カバーを着脱自在に配設する照明器具が提案されている（特許文献１参照。）。この従来技術の照明器具は、環状の放電ランプに対応して、複数の採光用開口部が器具本体上に環状に並ぶように複数形成され、透光性上カバーがドーナツ状に形成されている。
【０００４】
器具本体のランプ上方に孔が空いていると、器具本体内への埃等の侵入により、放電ランプの汚れが早くなって早期の光束低下に繋がる。前記透光性上カバーは、器具本体内に埃等が侵入しないようにしている。
【特許文献１】特開２００４−２６５７０８号公報（第６頁、第２図）
【発明の開示】
【発明が解決しようとする課題】
【０００５】
特許文献１の照明器具は、環状の放電ランプに沿うように器具本体に複数の孔（採光用開口部）が設けられるので、穴加工に手間および時間を要し、当該穴加工と透光性上カバーが照明器具のコストアップの要因となるという欠点を有する。また、環状の放電ランプに沿う複数の採光用開口部を有することにより、器具本体の下方側に反射する反射面の有効面積が減少するので、その分、下方側への放電ランプからの光量が減少し、器具効率が低下するという欠点を有する。
【０００６】
本発明は、天井面を間接照明するために要するコストおよび器具効率の低下を抑制可能な照明器具を提供することを目的とする。
【課題を解決するための手段】
【０００７】
請求項１に記載の照明器具の発明は、器具本体と；平板部、この平板部の周縁から外方に拡開するように配設された複数の側板部および隣り合う側板部の側端間に配設されて各側板部間を連結する透光性部材を有し、器具本体に配設された底面視多角形状の金属製の包囲体と；包囲体内に配設された蛍光ランプと；を具備していることを特徴とする。
【０００８】
本発明および以下の発明において、特に言及しない限り、各構成は以下による。
【０００９】
蛍光ランプは、環状または直管状などの形状は問わない。
【００１０】
透光性部材は、その全体または一部が可視光を透過／通過させるものであればよく、例えば透光板、レンズやプリズムあるいはパンチングメタル板などとすることができる。
【００１１】
透光性部材により包囲体の各側板部間が連結されると、各側板部の外方に拡開する角度をほぼ同一とすることができ、均一な配光が得られる。また、各側板部の側端の溶接仕上げや塗装仕上げを要しなくすることができて、コスト上昇を抑制できる。
【００１２】
本発明によれば、蛍光ランプから放射された放射光の直接光および包囲体の内面で反射された反射光のそれぞれの一部が透光性部材を通過し、この通過光のうちの器具本体の背面側方向に向かう光により器具本体の背面側が照明される。
【００１３】
請求項２に記載の照明器具の発明は、請求項１記載の照明器具において、蛍光ランプは、前記側板部の高さ方向中間の位置から平板部側に配設されていることを特徴とする。
【００１４】
蛍光ランプを平板部から離間させるに従い蛍光ランプからの直接光が透光性部材に照射され、透光性部材を通過する光量が多くなるが、側板部で反射され、包囲体の前方に出射される光量が減少して器具効率が低下する。
【００１５】
本発明によれば、蛍光ランプが側板部の高さ方向中間の位置から平板部側に配設されることにより、器具効率の低下を抑制して透光性部材を介して器具本体の背面側方向に向かう光量が確保される。
【発明の効果】
【００１６】
請求項１の発明によれば、包囲体の透光性部材を通過する蛍光ランプの放射光の一部により器具本体の背面側が照明されるので、器具本体が配設される天井面側が暗くなることを防止することができる。そして、透光性部材により包囲体の各側板部間が連結されることにより、各側板部の外方に拡開する角度をほぼ同一とすることができて、均一な配光を得ることができるとともに、各側板部の側端の溶接仕上げや塗装仕上げを要しなくすることができてコスト上昇を抑制することができる。
【００１７】
また、蛍光ランプの放射光の一部を天井面側に通過させる孔を器具本体に形成しないので、穴加工の手間や時間を要しないことにより省力化することができて照明器具のコストアップを抑制することができるとともに、器具本体の反射面の有効面積が損なわれないことにより器具効率の低下を防止することができる。
【００１８】
請求項２の発明によれば、蛍光ランプが側板部の高さ方向中間の位置から平板部側に配設されるので、器具効率の低下を抑制することができて照明エリアを所定の明るさで照明することができるとともに、透光性部材を介して器具本体の背面側方向に向かう光量が確保することができて、器具本体の背面側を照明することができる。
【発明を実施するための最良の形態】
【００１９】
以下、本発明の一実施の形態について、図面を参照して説明する。まず、本発明の第１の実施形態について説明する。
【００２０】
図１ないし図５は、本発明の第１の実施形態を示し、図１は照明器具であり、（ａ）は一部切り欠き概略正面図、（ｂ）は概略下面図、図２は透光性部材であり、（ａ）は概略正面図、（ｂ）は概略側面図、図３は他の透光性部材であり、（ａ）は概略正面図、（ｂ）は概略側面図、図４はさらに他の透光性部材であり、（ａ）は概略正面図、（ｂ）は概略側面図、図５はプリズムであり、（ａ）は概略正面図、（ｂ）は概略側面図である。
【００２１】
図１において、照明器具１は、天井直付け照明器具であり、器具本体２、蛍光ランプ３，４、包囲体５および透光性部材６を有して構成されている。
【００２２】
器具本体２は、鋼板からなり、長方形状の箱に形成されて、上面２ａが天井面８に取り付けられている配線ダクト７に取り付けられている。そして、内部に蛍光ランプ３，４を点灯させる点灯装置（図示しない。）が配設されている。器具本体２内には、配線ダクト７から電源線（図示しない。）が引き込まれていて、この電源線は点灯装置に接続されている。そして、器具本体２の下面２ｂに包囲体５がねじ止めなどにより取り付けられている。
【００２３】
包囲体５は、複数（４個）の側板部５ａ、平板部５ｂおよび透光性部材６を有して構成されている。側板部５ａおよび平板部５ｂは、例えばアルミニゥム（Ａｌ）からなり、内面５ｃが例えば鏡面仕上げの反射面に形成された反射体となっている。そして、平板部５ｂは、略正方形に形成され、側板部５ａは、平板部５ｂの周縁５ｄから外方に拡開するように形成されている。
【００２４】
透光性部材６は、例えばアクリル樹脂からなり、隣り合う側板部５ａ，５ａの側端５ａａ，５ａｂ間に配設されて各側板部５ａ間を連結している。透光性部材６は、図２（ａ）に示すように、略三角形状に形成され、図２（ｂ）に示すように、両側端６ａ，６ｂのそれぞれの端面１１にそれぞれ凹部１２が長手方向に沿って形成されている。凹部１２は、包囲体５の側板部５ａの板厚より幾分大きく形成されている。
【００２５】
そして、透光性部材６は、側端６ａ側の凹部１２に頂部６ｃ側から包囲体５の一方の側板部５ａの側端周縁部（側端）５ａａを挿入して下端５ｅから平板部５ｂの周縁５ｄ側に移動され、この移動途中に、包囲体５の他方の側板部５ａの側端周縁部（側端）５ａｂに側端６ｂ側の凹部１２が頂部６ｃ側から挿入される。そして、頂部６ｃ側を平板部５ｂ側に当接させることにより、透光性部材６は、隣り合う側板部５ａ，５ａ間に嵌め込まれる。そして、例えば、側板部５ａ，５ａの側端周縁部（側端）５ａａ，５ａｂおよび凹部１２の間に接着剤を注入し、接着剤を固化させる。
【００２６】
このように、透光性部材６は、隣り合う側板部５ａ，５ａの側端５ａａ，５ａｂ間に配設されて各側板部５ａ，５ａ間を連結している。各側板部５ａ，５ａが透光性部材６により連結されることにより、各側板部５ａは変形しにくく、各側板部５ａの拡開する角度がほぼ同一となっている。この結果、蛍光ランプ３，４の放射光による配光が均一にされる。
【００２７】
こうして、包囲体５は、開口９を有する略箱形に形成され、図１（ｂ）に示すように、底面視略四角形状に形成されている。そして、内部に、図示しないランプソケットおよびランプホルダーが配設されている。そして、図１（ａ）に示すように、平板部５ｂが器具本体２に取り付けられている。そして、器具本体２は、透光性部材６が配線ダクト７の直下に位置しないように配線ダクト７に取り付けられている。すなわち、透光性部材６を通過した光のうち、天井面８側（器具本体２の背面側）に向かう光が配線ダクト７により遮られないようにしている。
【００２８】
なお、包囲体５は、四角形状のアルミニゥム板の４隅に切り欠き部１０を設けた後に折曲して側板部５ａおよび平板部５ｂをそれぞれ形成してもよく、側板部５ａおよび平板部５ｂをそれぞれ個別に形成して側板部５ａを平板部５ｂの周縁５ｄから外方に拡開するように配設して形成してもよい。
【００２９】
蛍光ランプ３，４は、それぞれ四角形状に形成された二重環の高周波点灯専用形蛍光ランプであり、それぞれの定格ランプ電力は、例えば７３Ｗ、１０３Ｗである。そして、蛍光ランプ３，４は、それぞれランプソケットおよびランプホルダーに取り付けられ、それぞれの屈曲部３ａ，４ａが包囲体５の透光性部材６（切り欠き部１０）と同心角状になって包囲体５内に収容されている。すなわち、蛍光ランプ３，４は、包囲体５の側板部５ａおよび平板部５ｂにより包囲され、屈曲部３ａ，４ａが透光性部材６に対向している。
【００３０】
そして、蛍光ランプ３，４は、図１（ａ）に示すように、各側板部５ａの高さ方向中間の位置Ａから平板部５ｂ側に配設されている。これにより、蛍光ランプ３，４の放射光が側板部５ａの下端５ｅ側の内面５ｃで反射され、この反射光が包囲体５の前方に出射される。そして、蛍光ランプ３，４は、器具本体２内に配設されている点灯装置によりそれぞれ個別に高周波点灯される。
【００３１】
次に、本発明の第１の実施形態の作用について述べる。
【００３２】
蛍光ランプ３，４が点灯すると、蛍光ランプ３，４から放射されたそれぞれの放射光は、直接光および包囲体５の側板部５ａおよび平板部５ｂのそれぞれの内面５ｃで反射された反射光となって開口９から出射され、下方の床面を照明する。
【００３３】
そして、蛍光ランプ４の屈曲部４ａは、包囲体５の透光性部材６に対向して近い位置関係にあり、当該屈曲部４ａ側から放射された放射光の一部は、透光性部材６を透過して外方に出射される。このとき、屈曲部４ａ側から斜め上方に向かう放射光の一部も透光性部材６を透過して、包囲体５の上方側（器具本体２の背面側）に出射される。そして、器具本体２を配線ダクト７に取り付けるときに、透光性部材６が配線ダクト７の直下に位置しないようにしているので、包囲体５の上方側に出射された光は、配線ダクト７に遮れることなく、天井面８を照明する。
【００３４】
また、上記反射光の一部は、透光性部材６側に反射され、透光性部材６を透過して外方に出射される。上記反射光には、側板部５ａの下端５ｅ側の近くの内面５ｃで反射され、斜め上方に向かう反射光が存在する。この斜め上方に向かう反射光の一部が透光性部材６を透過して、配線ダクト７に遮れることなく包囲体５の上方側に出射されて、天井面８を照明する。
【００３５】
こうして、蛍光ランプ３，４からの直接光および反射光のうちの透光性部材６を透過する光であって、斜め上方に向かう光により天井面８が照明される。この照明により、天井面８側が暗くなることが防止される。
【００３６】
そして、蛍光ランプ３，４が各側板部５ａの高さ方向中間の位置Ａから平板部５ｂ側に配設されることにより、蛍光ランプ３，４からの放射光が側板部５ａの下端５ｅ側の内面５ｃで反射されて、下方の床面側に出射されるとともに透光性部材６を透過するようになる。この結果、照明器具１の器具効率の低下が抑制されるとともに、透光性部材６を介して天井面８側に向かう光（光量）が確保される。すなわち、床面が所定の明るさで照明され、天井面８が暗くならないように照明される。
【００３７】
また、包囲体５は、例えばアルミニゥム（Ａｌ）からなる反射体に形成され、その内面５ｃが反射面に形成されているので、反射率が高く、内面５ｃで反射される蛍光ランプ３，４の反射光の光量が多くなる。反射光の光量が多くなると、透光性部材６を透過する斜め上方に向かう反射光も多くなり、天井面８を照明する光量も多くなる。この結果、天井面側は、より明るく照明される。
【００３８】
そして、照明器具１は、天井面８を明るく照明するために、蛍光ランプ３，４の放射光の一部を天井面８側に通過させる孔を包囲体５または器具本体２に形成していない。当該孔を設けないことにより、包囲体５の平板部５ｂの内面５ｃの有効面積が減少しないので、蛍光ランプ３，４の放射光に対する反射光の減少が防止され、器具効率の低下が防止される。
【００３９】
また、前記孔を設けないことにより、孔形成の加工手間や加工時間を要しないので、省力化される。また、包囲体５の各側板部５ａ，５ａ間が透光性部材６により連結されていることにより、各側板部５ａの側端５ａａ，５ａｂでの溶接仕上げや塗装仕上げなどを要しなく省力化される。この結果、照明器具１のコストアップの上昇が抑制される。
【００４０】
なお、透光性部材６に代えて、図３に示す透光性部材１３または図４に示す透光性部材１４を用いることができる。透光性部材１３（透光性部材１４）は、透光性部材６と同様に、正面視略三角形状に形成されたものであり、包囲体５の側板部５ａ，５ａの側端周縁部（側端）５ａａ，５ａｂ側の内面５ｃまたは外面に側端周縁部１３ａ，１３ｂ（１４ａ，１４ｂ）が接着材により固着されている。透光性部材１３は、例えばアクリル樹脂により形成され、透光性部材１４は、例えば鉄板により形成されている。透光性部材１４は、複数の孔１５が形成されている。
【００４１】
透光性部材１３を斜め上方に透過する蛍光ランプ３，４の直接光および反射光により天井面８側が照明される。また、透光性部材１４の孔１５を斜め上方に通過する蛍光ランプ３，４の直接光および反射光により天井面８側が照明される。そして、孔１５の大きさまたは数量により、透光性部材１４を通過する光量が調節され、天井面８側の明るさが調節される。
【００４２】
また、透光性部材６に代えて、図５に示す透光性部材としてのプリズム１６を用いることができる。プリズム１６は、例えばポリカーボネート（ＰＣ）樹脂からなり、図５（ａ）に示すように、正面視略三角形状に形成され、図５（ｂ）に示すように、両側端１６ａ，１６ｂのそれぞれの端面１７にそれぞれ凹部１８が長手方向に沿って形成されている。凹部１８は、包囲体５の側板部５ａの板厚より幾分大きく形成されている。
【００４３】
また、プリズム１６は、図５（ｂ）に示すように、入射側１６ｃおよび出射側１６ｄにおいて、頂部１６ｅ側から下端１６ｆ側へ漸次肉厚が大きくなっているとともに、入射側１６ｃの肉厚が出射側１６ｄの肉厚よりも大きくなるように形成されている。そして、プリズム１６は、透光性部材６と同様に、包囲体５の隣り合う側板部５ａ，５ａの側端５ａａ，５ａｂ間に配設されている。
【００４４】
なお、プリズム１６は、包囲体５の側板部５ａの大きさや蛍光ランプ３，４との位置関係などに応じて適宜の形状に形成される。
【００４５】
プリズム１６の入射側１６ｃに入射する蛍光ランプ３，４からの放射光の一部は、図５（ｂ）に示すように、プリズム１６の出射側１６ｄから斜め上方に向かうように屈折される。これにより、天井面８側を照明する光量が多くなり、天井面８側が明るく照明される。
【００４６】
次に、本発明の第２の実施形態について説明する。
【００４７】
図６は、本発明の第２の実施形態を示す照明器具であり、（ａ）は一部切り欠き概略正面図、（ｂ）は概略下面図である。なお、図１と同一部分または同一部分に相当する部分には同一符号を付して説明は省略する。
【００４８】
図６に示す照明器具１９は、図１に示す照明器具１において、蛍光ランプ３，４および包囲体５に代えて、器具本体２に環状の蛍光ランプ２０，２１および包囲体２２が配設されたものである。
【００４９】
蛍光ランプ２０，２１は、それぞれ環状に形成された二重環の高周波点灯専用形蛍光ランプであり、それぞれの定格ランプ電力は、例えば７０Ｗ、１００Ｗである。そして、蛍光ランプ２０，２１は、それぞれランプソケットおよびランプホルダーに取り付けられ、同心円状になるようにして包囲体２２内に収容されている。すなわち、蛍光ランプ２０，２１は、包囲体２２の側板部２２ａおよび平板部２２ｂにより包囲されている。蛍光ランプ２０，２１は、器具本体２内に配設されている点灯装置によりそれぞれ個別に高周波点灯される。
【００５０】
包囲体２２は、開口２３を有する円錐形状に形成され、図６（ｂ）に示すように、底面視円形状に形成されている。そして、包囲体２２は、例えばアルミニゥム（Ａｌ）からなり、内面２２ｃが例えば鏡面仕上げの反射面に形成された反射体となっている。
【００５１】
包囲体２２は、図６（ａ）に示すように、平板部２２ｂが器具本体２の下面２ｂに取り付けられている。そして、側板部２２ａに、包囲体２２の中心に対して９０°の周回方向毎に、平板部２２ｂから下端２２ｅに沿う切り欠き部（図示しない。）が形成され、この切り欠き部に４個の透光性部材２４を配設している。また、内部には、図示しないランプソケットおよびランプホルダーが配設され、このランプソケットおよびランプホルダーに蛍光ランプ２０，２１が取り付けられている。
【００５２】
透光性部材２４は、正面視略扇形状または略三角形状に形成され、図２に示す透光性部材６と同様に形成され、同様に側板部２２ａ，２２ａ間に配設されて各側板部２２ａ，２２ａ間を連結している。包囲体２２および透光性部材２４は、蛍光ランプ２０，２１を包囲している。
【００５３】
蛍光ランプ２０，２１から放射された放射光のうち、直接光および包囲体２２の側板部２２ａの内面２２ｃで反射された反射光のそれぞれの一部が透光性部材２４を透過して外方に出射される。このとき、透光性部材２４を斜め上方に透過する光が天井面８に照射され、天井面８側を照明する。これにより、天井面８側が暗くなることが防止される。
【図面の簡単な説明】
【００５４】
【図１】本発明の第１の実施形態を示す照明器具であり、（ａ）は一部切り欠き概略正面図、（ｂ）は概略下面図。
【図２】同じく、透光性部材であり、（ａ）は概略正面図、（ｂ）は概略側面図。
【図３】同じく、他の透光性部材他であり、（ａ）は概略正面図、（ｂ）は概略側面図。
【図４】同じく、さらに他の透光性部材であり、（ａ）は概略正面図、（ｂ）は概略側面図。
【図５】同じく、プリズムであり、（ａ）は概略正面図、（ｂ）は概略側面図。
【図６】本発明の第２の実施形態を示す照明器具であり、（ａ）は一部切り欠き概略正面図、（ｂ）は概略下面図。
【符号の説明】
【００５５】
１，１９…照明器具
２…器具本体
３，４，２０，２１…蛍光ランプ
５，２２…包囲体
６，１３，１４，１６…透光性部材
【図１】
2007128672.tif 000003
【図２】
2007128672.tif 000004
【図３】
2007128672.tif 000005
【図４】
2007128672.tif 000006
【図５】
2007128672.tif 000007
【図６】
2007128672.tif 000008